(57)【要約】【課題】  扱いやすく、表現の自由度が高く、意思伝達を十分に行うことができるイメージコミュニケーションを実現するデータ表示サイズ対応プログラム、データ表示サイズ対応機能搭載携帯端末およびデータ表示サイズ対応機能支援サーバを提供する。【解決手段】  画像データを一つの文字データの表示サイズに対応させて表示するデータ表示サイズ対応機能搭載携帯端末１であって、文字データ入力手段９と、画像データ取得手段５と、画像データ登録手段１１と、電子メール送受信手段１９と、を備えた。【選択図】      図１
2005062289.tif 000002
【特許請求の範囲】
【請求項１】
画像データを一つの文字データの表示サイズに対応させて表示装置に表示するために装置を、
前記文字データと前記画像データとの配置を予め設定したデータ配置情報に基づいて、前記文字データと前記画像データとを配置するデータ配置手段、
このデータ配置手段で配置された画像データの表示サイズを、前記文字データの表示サイズを基準に調整する画像データサイズ調整手段、
この画像データサイズ調整手段で表示サイズが調整された画像データと、前記文字データとを前記表示装置に出力するデータ出力手段、
として機能させることを特徴とするデータ表示サイズ対応プログラム。
【請求項２】
画像データを一つの文字データの表示サイズに対応させて表示するデータ表示サイズ対応機能搭載携帯端末であって、
前記文字データを入力する文字データ入力手段と、
前記画像データを取得する画像データ取得手段と、
前記文字データ入力手段を使用して、前記画像データ取得手段で取得された画像データに、当該画像データを識別する画像データコードを付加したコード付加画像データとし、このコード付加画像データを外部に備えられるサーバに登録する画像データ登録手段と、
前記文字データ入力手段で入力した前記文字データおよび前記画像データコードを電子メールとして、前記サーバに送信する電子メール送信手段と、
前記サーバから送信される前記電子メールを受信する電子メール受信手段と、
を備えることを特徴とするデータ表示サイズ対応機能搭載携帯端末。
【請求項３】
前記画像データの表示サイズを、前記文字データの表示サイズを基準にして自在に変更する画像データ表示サイズ変更設定手段を備えることを特徴とする請求項２に記載のデータ表示サイズ対応機能搭載携帯端末。
【請求項４】
画像データを一つの文字データの表示サイズに対応させて表示する端末を支援するデータ表示サイズ対応機能支援サーバであって、
前記端末から送信される前記画像データを識別する画像データコードが付加されたコード付加画像データを蓄積する画像データ蓄積手段と、
送り元の前記端末から送信される電子メールを受信する電子メール受信手段と、
この電子メール受信手段で受信された電子メールを蓄積する電子メール蓄積手段と、
この電子メール蓄積手段に蓄積された電子メールを送り先の前記端末に送信すると共に、当該電子メールに前記画像データコードが含まれている場合には、当該画像データコードに対応するコード付加画像データを送信する電子メール送信手段と、
を備えることを特徴とするデータ表示サイズ対応機能支援サーバ。
【発明の詳細な説明】
【技術分野】
【０００１】
本発明は、文字データと画像データとを同様の取り扱いで表示するデータ表示サイズ対応プログラム、データ表示サイズ対応機能搭載携帯端末およびデータ表示サイズ対応機能支援サーバに関する。
【背景技術】
【０００２】
昨今、携帯電話等を利用した電子メールによるコミュニケーションにおいて、この電子メールに「絵文字」を織り交ぜることが、若年層のユーザだけではなく、壮年層、老年層のユーザにまで普及しつつあり、「絵文字」によるイメージコミュニケーションが世代を超えて一般化しようとしている（例えば、特許文献１参照）。この「絵文字」は、複数の記号を組み合わせて、様々な表情を表した顔文字や、文字のサイズに合わせて作成されているドット画像であり、通常、この「絵文字」は携帯電話に内蔵されているメモリに予め登録されているものである。
【０００３】
また、携帯電話の多機能化、機能充実はめざましく、特に、カメラ機能を付加したカメラ付き携帯電話の出荷台数は年々増加しており、現在のところ、携帯電話の全出荷台数の８０％を占めるまでになっている。このカメラ付き携帯電話のカメラ機能を利用して撮像した写真データを、当該カメラ付き携帯電話間で交換する、「写真データ」によるイメージコミュニケーションもコミュニケーションの一つの形態として、多くのユーザに受け入れられている。
【０００４】
【特許文献１】特開２００３−１７８０１０号公報（段落００２３〜００３０、図２）
【発明の開示】
【発明が解決しようとする課題】
【０００５】
しかしながら、「絵文字」によるイメージコミュニケーションは、通常の文字と「絵文字」とを混在させたメッセージを電子メールとして送受信させるので扱いやすいというメリットがある反面、予め登録されている顔文字やドット画像しか使用することができず、表現の自由度が低いというデメリットがある。また、「写真データ」によるイメージコミュニケーションは、撮像した「写真データ」を使用するため、具体的であり表現の自由度が高くなる（無限大である）というメリットがある反面、文字によるメッセージを書き込むスペースが十分にとれず、意思伝達が不十分になるおそれがあるというデメリットがある。
【０００６】
つまり、携帯電話等を利用して、これら「絵文字」と「写真データ」とのメリットを兼ね備えたイメージコミュニケーションの実現が望まれている。
【０００７】
そこで、本発明では、前記した問題を解決し、扱いやすく、表現の自由度が高く、意思伝達を十分に行うことができるイメージコミュニケーションを実現するデータ表示サイズ対応プログラム、データ表示サイズ対応機能搭載携帯端末およびデータ表示サイズ対応機能支援サーバを提供することを目的とする。
【課題を解決するための手段】
【０００８】
前記課題を解決するため、請求項１に記載のデータ表示サイズ対応プログラムは、画像データを一つの文字データの表示サイズに対応させて表示装置に表示するために装置を、データ配置手段、画像データサイズ調整手段、データ出力手段、として機能させる構成とした。
【０００９】
かかる構成によれば、データ表示サイズ対応プログラムは、データ配置手段によって、文字データと画像データとの配置を予め設定したデータ配置情報に基づいて、文字データと画像データとを配置する。文字データは、テキストデータに相当し、画像データは写真データに相当するものである。また、データ配置情報は、例えば、携帯電話のユーザが文字（文字データ）を打ち込んで電子メールを作成した際の文字データの配列による文章に相当するものである。つまり、このデータ配置情報によって、文字データと画像データとの配列が決定され、一つの文章の中に当該文字データと当該画像データとが混在したデータ列となる。このデータ列を表示した場合、文字データと画像データとを同じレベルで取り扱っているように見える。
【００１０】
続いて、このデータ表示サイズ対応プログラムは、画像データサイズ調整手段によって、データ配置手段で配置された画像データの表示サイズを、文字データの表示サイズを基準に調整する。つまり、画像データの表示サイズは、文字データの表示サイズとの比率（横方向（ｘ値）×縦方向（ｙ値）の倍率）によって表され、例えば、文字データの表示サイズが１６ｐｉｘｅｌ×１６ｐｉｘｅｌの場合、横方向（ｘ値）のみが２倍であれば、画像データの表示サイズは３２ｐｉｘｅｌ×１６ｐｉｘｅｌとなり、縦方向（ｙ値）のみが２倍であれば、画像データの表示サイズは１６ｐｉｘｅｌ×３２ｐｉｘｅｌということになる。
【００１１】
そして、このデータ表示サイズ対応プログラムは、データ出力手段によって、画像データサイズ調整手段で表示サイズが調整された画像データと、文字データとを表示装置に出力する。
【００１２】
請求項２に記載のデータ表示サイズ対応機能搭載携帯端末は、画像データを一つの文字データの表示サイズに対応させて表示するデータ表示サイズ対応機能搭載携帯端末であって、文字データ入力手段と、画像データ取得手段と、画像データ登録手段と、電子メール送信手段と、電子メール受信手段と、を備える構成とした。
【００１３】
かかる構成によれば、データ表示サイズ対応機能搭載携帯端末は、画像データ取得手段によって、画像データ、つまり、写真データを取得する。続いて、このデータ表示サイズ対応機能搭載携帯端末は、画像データ登録手段によって、文字データ入力手段を使用して、画像データに画像データコードを付加し、この画像データコードが付加されたコード付加画像データを、外部に備えられるサーバに登録する。
【００１４】
なお、このデータ表示サイズ対応機能搭載携帯端末は、電子メールを送受信可能な携帯電話、ＰＨＳ、ＰＤＡ等を指すものである。また、通常、画像データはメモリの消費量が多い、つまり、データ量が多いので、外部に備えられる、大容量の記録装置であるサーバに、コード付加画像データとして登録することとしている。さらに、画像データコードは、当該端末のユーザが覚えやすい数字（例えば、３桁の数字）等である。
【００１５】
そして、このデータ表示サイズ対応機能搭載携帯端末は、電子メール送信手段によって、文字データ入力手段で入力した文字データおよび画像データコードを電子メールとして、サーバに送信する。これによって、サーバでは、文字データと画像データコードとが含まれた電子メールを受信することによって、画像データコードを画像データに置き換えて、文字データと画像データとを混在させた電子メール（メッセージ）を生成し、送信先の他の端末に送信することになる。
【００１６】
また、このデータ表示サイズ対応機能搭載携帯端末は、他の端末からサーバに送信され、当該サーバに蓄積されている電子メールが当該サーバから送信された際に、電子メール受信手段によって受信する。
【００１７】
請求項３に記載のデータ表示サイズ対応機能搭載携帯端末は、請求項２に記載のデータ表示サイズ対応機能搭載携帯端末において、前記画像データの表示サイズを、前記文字データの表示サイズを基準にして自在に変更する画像データ表示サイズ変更設定手段を備えることを特徴とする。
【００１８】
かかる構成によれば、データ表示サイズ対応機能搭載携帯端末は、画像データ表示サイズ変更設定手段によって、文字データの表示サイズを基準にして、画像データの表示サイズを自在に変更する。例えば、文字データの表示サイズの縦横の長さを基準に、縦を２倍、横を２倍、また、縦を２倍、横をそのまま、或いは、縦をそのまま、横を２倍といったように自在に変更する。
【００１９】
請求項４に記載のデータ表示サイズ対応機能支援サーバは、画像データを一つの文字データの表示サイズに対応させて表示する端末を支援するデータ表示サイズ対応機能支援サーバであって、画像データ蓄積手段と、電子メール受信手段と、電子メール蓄積手段と、電子メール送信手段と、を備える構成とした。
【００２０】
かかる構成によれば、データ表示サイズ対応機能支援サーバは、画像データ蓄積手段によって、端末から送信された画像データを識別する画像データコードが付加されたコード付加画像データを蓄積しており、電子メール受信手段によって、送り元の端末から送信される電子メールを受信し、この受信した電子メールを電子メール蓄積手段に蓄積する。
【００２１】
そして、このデータ表示サイズ対応機能支援サーバは、電子メール送信手段によって、電子メール蓄積手段に蓄積された電子メールに画像データコードが含まれている場合には、画像データコードに対応するコード付加画像データに置き換えて、送り先の端末に電子メールを送信する。
【発明の効果】
【００２２】
請求項１記載の発明によれば、文字データと、画像データとを同様に取り扱うことができ、これによって、メッセージを作成すれば、表現の自由度が高く、意思伝達を十分に行うことができるイメージコミュニケーションを実現できる。
【００２３】
請求項２記載の発明によれば、電子メール上で、文字データと画像データとが同等に取り扱え、画像データを撮像し、登録した分、表現の自由度が増加し、電子メールを送信する送信側のユーザから電子メールを受信する受信側のユーザへの意思伝達を十分に行うことができるイメージコミュニケーションを実現できる。
【００２４】
請求項３記載の発明によれば、文字データの表示サイズを基準にして、画像データの表示サイズを自在に変更することによって、当該端末のユーザは、電子メールにおいて、多彩な表現を行うことができる。
【００２５】
請求項４記載の発明によれば、端末から送信された画像データを保持し、送り元の端末から受信した電子メールに画像データコードが含まれている場合に、登録された画像データを添付して送り先の端末に送付することによって、端末間の電子メールによるコミュニケーションをサポートすることができる。
【発明を実施するための最良の形態】
【００２６】
次に、本発明の実施形態について、適宜図面を参照しながら詳細に説明する。
図１に写文字メールシステムのブロック図を示す。この図１に示すように、写文字メールシステムＡは、複数のデータ表示サイズ対応機能搭載携帯端末１と、データ表示サイズ対応機能支援サーバ３とを備えている。
【００２７】
この写文字メールシステムＡは、文字データの表示サイズにサイズ変更（リサイズ、通常、縮小）した写真データ（画像データ）である“写文字”を、当該文字データからなる文章中に織り交ぜた電子メールを、データ表示サイズ対応機能支援サーバ３を介して、データ表示サイズ対応機能搭載携帯端末１間で取り扱うことができるものである。
【００２８】
（データ表示サイズ対応機能搭載携帯端末の構成）
データ表示サイズ対応機能搭携帯端末１は、個々のユーザが所有するカメラ付き携帯電話に相当するもので、画像データ取得手段５と、画像データ蓄積手段７と、文字データ入力手段９と、画像データ登録手段１１と、制御手段１３と、表示手段１５と、電子メール蓄積手段１７と、電子メール送受信手段１９（電子メール送信手段、電子メール受信手段）とを備えている。
【００２９】
画像データ取得手段５は、非球面レンズ、ガラスレンズ、ＣＣＤ素子等から構成され、写真データ（画像データ）を撮像（取得）するものである。この画像データ取得手段５で取得される画像データの画素数は、ＣＣＤ素子の有効画素数に依存し、通常、１００万画素から２００万画素程度である。また、画像データ取得手段５では、文字データ入力手段９に備えられている特定の操作キーによる操作によって、ズーム、ショットが行われ、写真データ（画像データ）が取得される。
【００３０】
画像データ蓄積手段７は、内蔵型のメモリや脱着可能なメモリ等によって構成され、画像データ取得手段５で撮像（取得）された写真データ（画像データ）を一時的に保持（ストック）するためのものである。
【００３１】
文字データ入力手段９は、複数の操作キーを備えており、この操作キーによる操作によって、当該端末１を機能動作させるものである。つまり、文字データ入力手段９は、画像データ取得手段５を機能させ、写真データ（画像データ）を取得させたり、電子メールを作成したりするのに用いられ、当該端末１に備えられている各機能を制御するための入力データを制御手段１３に入力するものである。この操作キーの表面には、平仮名、数字、アルファベット等を示すマークが付されており、この操作キーによって、漢字入力、カナ文字入力、絵文字入力、画像データコードの入力を行うことができる。画像データコードは、この実施の形態では、３桁の数字（写モジ番号）と数文字の文字データ（写モジ名）とからなるもので、当該端末１のユーザが任意に設定できるものである。但し、３桁の数字（写モジ番号）または、数文字の文字データ（写モジ名）の少なくとも一方は画像データを特定するための必須の情報である。なお、写モジ番号は、３桁の数字に限定されず、任意の桁数の数字、または、任意の桁数の数字と任意の文字データとを混在させたデータ、或いは、任意の文字データからなるものであってもよい。
【００３２】
画像データ登録手段１１は、画像データ取得手段５で撮像（取得）した画像データに文字データ入力手段９で入力した画像データコードを付してコード付加画像データとし、当該端末１のＩＤと共にデータ表示サイズ対応機能支援サーバ３に送信し、画像データを登録するものである。なお、この実施の形態では、１台のデータ表示サイズ対応搭載携帯端末１に対して、１００枚分（画像コードデータ「００１」〜「１００」）の画像データを登録できる蓄積容量（後記するユーザ専用データフォルダ、写モジデータベース）がデータ表示サイズ対応機能支援サーバ３には確保されている。この蓄積容量は、当該サーバ３の管理者との契約によって、変更（増減）させることができる。また、一度、データ表示サイズ対応機能支援サーバ３に登録したコード付加画像データも、この画像データ登録手段１１によって、別のコード付加画像データを上書きすることで削除することができる。
【００３３】
制御手段１３は、当該端末１の制御を司るもので、文字データ入力手段９によって、入力された入力データに基づいて、制御信号を生成し、この制御信号を画像データ取得手段５と、画像データ登録手段１１と、表示手段１５と、電子メール送受信手段１９とを機能させ、入力された文字データおよび画像データコードを、表示手段１５に表示させ、電子メールとして電子メール送受信手段１９から送信させるものである。すなわち、この制御手段１３は、文字データ入力手段９から入力された文字データおよび画像データコードに基づいて、電子メールを生成し、表示手段１５に表示させるものである。このため、生成された電子メールでは、画像データコードによって指定される画像データと、文字データとを同じレベルで取り扱っており、この電子メールを受け取った側では、文字データと共に、画像データコードによって電子メールに埋め込まれた画像データを表示させることができる（具体的な例示は後記する）。なお、この制御手段１３には、電子メールを作成する電子メール作成プログラム（メーラー）が展開している。また、この制御手段１３に画像データを縮小した縮小画像データを表示するプログラム（後記する写モジアプリ）が展開している場合、文字データと縮小画像データとを表示手段１５に表示させながら電子メールを作成することができる。
【００３４】
つまり、制御信号によって、画像データ取得手段５が機能し、画像データが取得されたり、画像データ登録手段１１が機能し、取得された画像データに画像データコードが付加されたコード付加画像データとして送信されたりする。また、この制御手段１３は、画像データ表示サイズ変更設定手段１３ａを備えている。
【００３５】
画像データ表示サイズ変更設定手段１３ａは、制御手段１３に展開するプログラムであり、文字データの表示サイズに対応させて画像データを縮小した縮小画像データの表示サイズを変更設定するものである。例えば、文字データの表示サイズが縦横１２ｐｉｘｅｌ×１２ｐｉｘｅｌである際に、この画像データ表示サイズ変更設定手段１３ａによって、画像データの表示サイズが縦１．５倍と変更設定された場合、画像データの表示サイズは１８ｐｉｘｅｌ×１２ｐｉｘｅｌに変更されることとなる。
【００３６】
表示手段１５は、数インチの液晶画面等によって構成されるものであり、文字データ入力手段９によって入力された文字データや、画像データ取得手段５で取得した画像データを表示するものである。なお、この表示手段１５は、当該端末１に内蔵型のものであり、通常のパーソナルコンピュータに接続される１５インチ、１７インチの液晶ディスプレイ、ＣＲＴディスプレイに比べ、表示面積が格段に狭く（小さく）、解像度の低いものである。
【００３７】
電子メール蓄積手段１７は、内蔵型のメモリ等によって構成され、文字データ入力手段９、制御手段１３によって生成された電子メールを蓄積するものである。
【００３８】
電子メール送受信手段１９は、送受信アンテナ、外部インターフェース等によって構成され、制御手段１３を介して出力された電子メールをデータ表示サイズ対応機能支援サーバ３に送信すると共に、このサーバ３から送信された電子メールを受信するものである。
【００３９】
このデータ表示サイズ対応機能搭載携帯端末１によれば、画像データ取得手段５によって、画像データ、つまり、写真データが取得され、画像データ登録手段１１によって、文字データ入力手段９が使用されて、画像データに画像データコードが付加され、この画像データコードが付加されたコード付加画像データが、データ表示サイズ対応機能支援サーバ３に送信され、登録される。そして、電子メール送受信手段１９によって、文字データ入力手段９で入力された文字データおよび画像データコードが電子メールとして、データ表示サイズ対応機能支援サーバ３に送信される。その後、他の端末１から当該サーバ３に送信され、当該サーバ３に蓄積されている電子メールが当該サーバ３から送信された際に、電子メール送受信手段１９によって受信される。このため、電子メール上で、画像データを画像データコードとして記載することによって、文字データと画像データとを同等に取り扱つかうことができ、画像データを撮像し、登録した分、表現の自由度が増加し、電子メールを送信する送信側のユーザから電子メールを受信する受信側のユーザへの意思伝達を十分に行うことができ、当該端末１のユーザの嗜好に応じたイメージコミュニケーションを実現することができる。
【００４０】
また、このデータ表示サイズ対応機能搭載携帯端末１によれば、画像データ表示サイズ変更設定手段１３ａによって、文字データの表示サイズを基準にして、画像データの表示サイズを自在に変更することができる。当該端末１のユーザは、電子メールにおいて、多彩な表現を行うことができる。
【００４１】
さらに、このデータ表示サイズ対応機能搭載携帯端末１によれば、表示手段１５の表示画面が狭く（小さく）、解像度が低いものであり、文字データおよび画像データの表現に制約を受けるものであっても、通常のパーソナルコンピュータで起動するアプリケーションソフト間で行われている「データの切り貼り」と違って、画像データの表現力を損なうことなく、電子メールの文章中で文字データおよび画像データとを同等に扱うことができる。つまり、アプリーケーションソフト（例えば、Ｗｏｒｄ等）における画像データの挿入は、専ら、文字データの補足として行われるものであり、それに対し、「写モジ」は、画像データ自体に文字データとしての役割を持たせて、文字データの表示サイズ（文字の比率）に応じて画像データの表示サイズを調整したものである。すなわち、「写モジ＝文字」であるといえる。
【００４２】
（データ表示サイズ対応機能支援サーバの構成）
データ表示サイズ対応機能支援サーバ３は、データ表示サイズ対応機能搭載携帯端末１から送信されるコード付加画像データを登録して蓄積すると共に、データ表示サイズ対応機能搭載携帯端末１同士による電子メールの送受信をサポートするもので、画像データ受信手段２１と、画像データ蓄積手段２３と、電子メール送受信手段２５（電子メール送信手段、電子メール受信手段）と、電子メール蓄積手段２７と、制御手段２９とを備えている。
【００４３】
画像データ受信手段２１は、外部とのインターフェースの役割を果たしており、データ表示サイズ対応機能搭載携帯端末１から送信されたコード付加画像データを受信するものである。なお、この画像データ受信手段２１でコード付加画像データが受信された際には、制御手段２９に、コード付加画像データを受信したことを通知する画像データ受信通知信号が出力される。
【００４４】
例えば、同一の端末１から同一の画像データコードの付されたコード付加画像データが送信され、この画像データ受信手段２１で受信した場合、このことが、画像データ受信通知信号によって、制御手段２９に通知される。すると、制御手段２９は、後から送信されたコード付加画像データを、前から蓄積していたコード付加画像データに上書きするか否かを端末１に問い合わせるメッセージを生成し、このメッセージが電子メール送受信手段２５から送信されることとなる。
【００４５】
また、登録可能な枚数（蓄積容量）を超えてしまった場合も、この画像データ受信通知信号によって制御手段２９に通知される。すると、制御手段２９は、コード付加画像データの処置について問い合わせるメッセージ（選択してコード付加画像データを削除するか、登録時刻の古いものから順に削除するか等）を生成し、このメッセージが電子メール送受信手段２５から送信されることとなる。
【００４６】
画像データ蓄積手段２３は、大容量のハードディスク等によって構成されており、画像データ受信手段２１で受信したコード付加画像データを、データ表示サイズ対応機能搭載携帯端末１のＩＤに基づいて、分類して蓄積するものである。この画像データ蓄積手段２３には、データ表示サイズ対応機能搭載携帯端末１のＩＤ毎にユーザ専用データフォルダが設けられており、このフォルダにコード付加画像データが逐次蓄積される。また、画像データ蓄積手段２３には、ユーザが使用したいコード付加画像データを、各ユーザ専用に登録する蓄積領域である写モジデータベースが確保されている。なお、この実施の形態では、ユーザ専用データフォルダには２０枚のコード付加画像データが一時蓄積可能であり、写モジデータベースには１００枚のコード付加画像データが登録可能である。
【００４７】
電子メール送受信手段２５は、外部とのインターフェースの役割を果たしており、送り元のデータ表示サイズ対応機能搭載携帯端末１から送信された電子メールを受信する共に、この受信した電子メールを送り先のデータ表示サイズ対応機能搭載携帯端末１に送信するものである。また、この電子メール送受信手段２５で電子メールが受信された際には、制御手段２９に、電子メールを受信したことを通知する電子メール受信通知信号が出力される。
【００４８】
電子メール蓄積手段２７は、大容量のハードディスク等によって構成されており、電子メール送受信手段２５で受信した電子メールを、データ表示サイズ対応機能搭載携帯端末１のＩＤに基づいて、分類して蓄積するものである。
【００４９】
制御手段２９は、このデータ表示サイズ対応機能支援サーバ３の制御を司るものであり、画像データ受信通知信号と、電子メール受信通知信号とに基づいて、画像データ蓄積手段２３に画像データ読み出し信号を出力し、電子メール蓄積手段２７に電子メール読み出し信号を出力するものである。この制御手段２９は、図示を省略した蓄積手段に出力デバイス情報に基づいて、送り先のデータ表示サイズ対応機能搭載携帯端末１に合わせた文字データの表示サイズに比例した表示サイズにコード付加画像データを縮小し、この縮小画像データを画像データコードが記載されている箇所に埋め込んで出力する、つまり、縮小画像データをＨＴＭＬファイルとして出力する。なお、この実施の形態では、縮小画像データをＨＴＭＬファイルとして出力する構成としているが、例えば、ＸＭＬファイルや、端末１の表示手段１５に表示させるのに最適なファイル形式で出力している。
【００５０】
出力デバイス情報は、データ表示サイズ対応機能搭載携帯端末１の製造メーカー毎、製品番号毎に設定されたもので、当該端末１の文字データの表示サイズ、表示手段１５のスペック等に関する情報である。
【００５１】
このデータ表示サイズ対応機能支援サーバ３によれば、画像データ蓄積手段２３によって、データ表示サイズ対応機能搭載携帯端末１から送信された画像データを識別する画像データコードの付加されたコード付加画像データが蓄積されており、電子メール送受信手段２５によって、送り元の端末１から送信される電子メールが受信され、この受信された電子メールが電子メール蓄積手段２７に蓄積される。そして、電子メール送受信手段２５によって、電子メール蓄積手段２７に蓄積された電子メールに画像データコードが含まれている場合には、画像データコードに対応するコード付加画像データに置き換えて、送り先の端末１に電子メールが送信される。これによって、送り元の端末１から送信された画像データを保持し、送り元の端末１から受信した電子メールに画像データコードが含まれている場合に、登録された画像データを添付して送り先の端末１に送付することによって、端末１間の電子メールによるコミュニケーションをサポートすることができる。
【００５２】
（写文字メールシステムの全体動作）
次に、図２に示すシーケンスチャートを参照して、写文字メールシステムＡの全体動作について説明する（適宜、図１参照）。
まず、送り元のデータ表示サイズ対応機能搭載携帯端末１において、画像データ取得手段５によって、写真データ（画像データ）を取得する（ステップａ１）。そして、画像データコード（３桁の数字）を文字データ入力手段９を使用して入力し、この画像データコードが付加されたコード付加画像データを、画像データ登録手段１１によって、端末ＩＤと共に、データ表示サイズ対応機能支援サーバ３に送信して登録する（ステップａ２）。
【００５３】
すると、データ表示サイズ対応機能支援サーバ３では、送り元のデータ表示サイズ対応機能搭載携帯端末１から送信されたコード付加画像データを画像データ受信手段２１で受信し（ステップｂ１）、端末ＩＤに基づいて、コード付加画像データを分類して、画像データ蓄積手段２３に蓄積する（ステップｂ２）。
【００５４】
そして、送り元のデータ表示サイズ対応機能搭載携帯端末１において、文字データ入力手段９を使用して、表示手段１５に表示させつつ、文字データと画像データコードを含む電子メールを作成し（ステップａ３）、この作成した電子メールを、電子メール送受信手段１９によって、端末ＩＤと共に、データ表示サイズ対応機能支援サーバ３に送信する（ステップａ４）。
【００５５】
すると、データ表示サイズ対応機能支援サーバ３では、送り元のデータ表示サイズ対応機能搭載携帯端末１から送信された電子メール（画像データコードを含む）を電子メール送受信手段２５で受信し（ステップｂ３）、端末ＩＤに基づいて、電子メールを分類して、電子メール蓄積手段２７に蓄積する（ステップｂ４）。
【００５６】
その後、送り先のデータ表示サイズ対応機能搭載携帯端末１が電源オンの状態で電波受信可能状態にある場合、または、この送り先のデータ表示サイズ対応機能搭載携帯端末１から新着メールの問い合わせがあった場合、データ表示サイズ対応機能支援サーバ３から電子メールが送信され、この送信された電子メールを、送り元のデータ表示サイズ対応機能搭載携帯端末１の電子メール送受信手段１９によって、受信する（ステップｃ１）。この際に、データ表示サイズ対応機能支援サーバ３では、電子メール中の画像データコードに対応するコード付加画像データを縮小した縮小画像データをＨＴＭＬの添付ファイルとして出力する。そして、送り先のデータ表示サイズ対応機能搭載携帯端末１では、文字データに縮小画像データが織り交ぜられた電子メール（写文字メール）を表示手段１５に表示する（ステップｃ２）。
【００５７】
この写文字メールシステムＡの全体動作で説明したように、写真データ（画像データ）を絵文字のように取り扱って、文字データに織り交ぜて生成した電子メール（写文字メール）を送受信することで、データ表示サイズ対応機能搭載携帯端末１のユーザは、文字データ、絵文字のみの電子メールに比べて、グラフィカルなメッセージとなり、具体的なイメージを豊かに膨らますことができ、ユーザ間で楽しくコミュニケーションをすることができる。
【００５８】
なお、この写モジメールシステムＡの全体動作では、画像データを取得してデータ表示サイズ対応機能支援サーバ３に登録した後に電子メールを送受信することを前提に説明しているが、データ表示サイズ対応機能搭載携帯端末１の文字データ入力手段９で電子メールの文字データを入力している途中で（最中に）、画像データ取得手段５および画像データ登録手段１１を使用して、画像データを取得して、この取得した画像データを当該電子メールに活用することは可能である。
【００５９】
（「写文字（写モジ）」の登録の具体的な例について）
次に、図３を参照して、写文字メールシステムＡにおける「写文字（写モジ）」の登録の具体的な例について説明する（適宜、図１参照）。図３は、「写文字（写モジ）」の登録の具体的な例について模式的に図示したものである。
【００６０】
まず、データ表示サイズ対応機能搭載携帯端末１（図３では携帯電話）の画像データ取得手段５で写真データ（画像データ）を撮像し（図３では「撮る」）、画像データ登録手段１１でデータ表示サイズ対応機能支援サーバ３に送信する（図３では「送る」）。
【００６１】
データ表示サイズ対応機能支援サーバ３では、送信された写真データ（コード付加画像データ）を画像データ受信手段２１で受信し、画像データ蓄積手段２３に備えられているユーザ専用データフォルダに一時的に蓄積する。この図３では、ユーザ専用データフォルダに左上から順に“女性の顔”、“パソコン”、“携帯電話”、左下から順に“サッカーボール”、“ピアノの鍵盤”、“ピースサインをする男性”が「写モジ」として一時的に登録されている。
【００６２】
ここで、データ表示サイズ対応機能搭載端末１によって画像データコードが指定された場合に、データ表示サイズ対応機能支援サーバ３は画像データ蓄積手段２３に備えられているユーザ専用の写モジデータベースに、画像データコード指定された「写モジ」を登録する。図３では、ユーザ専用データフォルダにストックされる“ピースサインをする男性”に、画像データコードである写モジ番号“００１”および写モジ名“ピース”が付されてユーザ専用の写モジデータベースに登録されている。なお、このユーザ専用の写モジデータベースには、１２ｐｉｘｅｌ×１２ｐｉｘｅｌの表示サイズの５０４ｉ（製品番号）以前用の「写モジ」と、２４ｐｉｘｅｌ×２４ｐｉｘｅｌの表示サイズの５０５ｉ（製品番号）用の「写モジ」との２種類が登録される。
【００６３】
また、この実施の形態では、データ表示サイズ対応機能支援サーバ３に、予め、蓄積されている複数の「写モジ」からなる写モジコレクション（定期的に更新）がデータ表示サイズ対応機能搭載携帯端末１から閲覧可能に構成されており、この写モジコレクションの中から当該端末１のユーザが気に入った「写モジ」を選択して、ユーザ専用の写モジデータベースに登録することも可能である。なお、この図３に示した写モジコレクションには、“日本列島”、“車”、“猫”の「写モジ」が登録されている。
【００６４】
（「写文字メール（写モジメール）」の送受信の具体的な例について）
次に、図４を参照して、写文字メールシステムＡにおける「写文字メール（写モジメール）」の送受信の具体的な例について説明する（適宜、図１参照）。図４は、「写文字メール（写モジメール）」の送受信の具体的な例について、表示手段１５で表示されている画面を主に図示したものである。
【００６５】
［通常のメーラーの場合］
送り元のデータ表示サイズ対応機能搭載携帯端末１の制御手段１３に通常のメーラーが展開している場合、表示手段１５には、送り先のメールアドレスである“ｘｘｘ＠ｄｏｃｏｍｏ（登録商標）．ｓｈａｍｏｊｉ．ｊｐ”が表示されており、本文として、文字データと、“《》”で囲まれた画像データコードとが表示されている。なお、この“《》”の中には、写モジ番号か写モジ名が入力される。また、これらの“《》”等の仕様は、任意に変更可能である。
【００６６】
つまり、通常メーラーの場合、メールアドレスのドメイン名の「ｎｅ」を「ｓｈａｍｏｊｉ」に書き換える必要があり、文字データと画像データコードとが表示されることになる。
【００６７】
［写モジアプリの場合］
送り元のデータ表示サイズ対応機能搭載携帯端末１の制御手段１３に写モジアプリが展開している場合、表示手段１５には、送り先のメールアドレスである“ｘｘｘ＠ｄｏｃｏｍｏ（登録商標）．ｎｅ．ｊｐ”が表示されており、本文として、文字データと画像データが縮小された縮小画像データ（写文字、写モジ）とが表示されている。
【００６８】
つまり、写モジアプリの場合、絵文字を入力する感覚で、写モジを入力することができ、文字データと画像データとを同様に取り扱うことができる。
【００６９】
そして、送り元のデータ表示サイズ対応機能搭載携帯端末１から送信された電子メールは、データ表示サイズ対応機能支援サーバ３に蓄積される。このデータ表示サイズ対応機能支援サーバ３から送り先のデータ表示サイズ対応機能搭載携帯端末１のメールアドレスである“ｘｘｘ＠ｄｏｃｏｍｏ（登録商標）．ｎｅ．ｊｐ”へＵＲＬ送信し、このＵＲＬに送り先のデータ表示サイズ対応機能搭載携帯端末１がアクセスする。
【００７０】
すると、送り先のデータ表示サイズ対応機能搭載携帯端末１の表示手段１５には、送り元のメールアドレスである“ｙｙｙ＠ｄｏｃｏｍｏ（登録商標）．ｎｅ．ｊｐ”が表示され、本文として、文字データと縮小画像データ（写文字、写モジ）とが表示される。なお、送り元から送信された電子メール中の縮小画像データ（写文字、写モジ）を自分の写モジデータベース（マイ写モジ）に登録することができる。
【００７１】
（写モジメールの具体的な例について）
次に、図５を参照して、写モジメールの具体的な例について説明する（適宜、図１参照）。図５は、データ表示サイズ対応機能搭載携帯端末１の表示手段１５に表示されている画面の一例を示したものである。
この図５に示すように、文字データと、画像データを縮小した縮小画像データ（写文字、写モジ）とを混在させた電子メールを送受信することができ、この電子メールによって、既存の絵文字を使用した場合よりも、ユーザ主導のイメージコミュニケーションを実現することができる。
【００７２】
（写文字の表示サイズについて）
次に、図６、図７を参照して、写文字（写モジ）の表示サイズについて説明する。図６は、データ表示サイズ対応機能搭載携帯端末１の制御手段１３の画像データ表示サイズ変更設定手段１３ａによって、縮小画像データ（写文字、写モジ）の表示サイズを変更した場合を説明したもので、図７は、文字データと縮小画像データ（写文字、写モジ）との配列の一例を示したものである。
【００７３】
図６（ａ）は、写モジ用画像（縮小画像データ）Ａの横の長さであるＸの値と縦の長さであるＹの値とを、文字データの表示サイズ（文字サイズ）と同じにした場合を示しており、図６（ｂ）は、写モジ用画像（縮小画像データ）Ｂの横の長さであるＸの値と文字データの表示サイズ（文字サイズ）とを同じにし、写モジ用画像（縮小画像データ）Ｂの縦の長さであるＹの値を、文字データの表示サイズ（文字サイズ）の２倍にした場合を示しており、図６（ｃ）は、写モジ用画像（縮小画像データ）Ｃの横の長さであるＸの値を文字データの表示サイズ（文字サイズ）の２倍にし、写モジ用画像（縮小画像データ）Ｃの縦の長さであるＹの値と文字データの表示サイズ（文字サイズ）とを同じにした場合を示している。なお、この写モジ用画像（縮小画像データ）Ｃが複数行に亘る電子メールの文章中に挿入される場合には、データ表示サイズ対応機能搭載携帯端末１の制御手段１３によって、上下の行間が自動的に調整される。
【００７４】
図７は、図６に示した写モジ用画像（縮小画像データ）Ａ、写モジ用画像（縮小画像データ）Ｂおよび写モジ用画像（縮小画像データ）Ｃと、１６ｐｉｘｅｌ×１６ｐｉｘｅｌの文字データ“あ”、“か”、“さ”、“た”、“な”とを配列したものである。
【００７５】
これら図６、図７に示したように、写モジ用画像（縮小画像データ）の表示サイズを、文字データの表示サイズを基準に自在に変更することによって、電子メール上で、表現の自由度が増加し、多彩な表現を行うことができる。
【００７６】
以上、本発明の実施形態について説明したが、本発明は前記実施形態には限定されない。例えば、本実施形態では、データ表示サイズ対応機能搭載携帯端末１の各構成の処理を汎用的なコンピュータ言語で記述したデータ表示サイズ対応プログラムと捉えることができ、これにより、文字データと画像データとを同様に取り扱って表示することを実現できる。
【００７７】
また、このデータ表示サイズ対応プログラムとして捉えた場合、通常のパーソナルコンピュータで使用されている電子メールソフトに組み込んで使用することも可能である。
【図面の簡単な説明】
【００７８】
【図１】実施形態に係る写文字メールシステムのブロック図である。
【図２】図１に示した写文字メールシステムの全体動作を説明したシーケンスチャートである。
【図３】「写文字（写モジ）」の登録の具体的な例について模式的に示した図である。
【図４】「写文字メール（写モジメール）」の送受信の具体的な例について、表示されている画面を主に示した図である。
【図５】データ表示サイズ対応機能搭載携帯端末の表示手段に表示されている画面の一例を示した図である
【図６】縮小画像データ（写文字、写モジ）の表示サイズを変更した場合を説明した図である。
【図７】文字データと縮小画像データ（写文字、写モジ）との配列の一例を示した図である。
【符号の説明】
【００７９】
１          データ表示サイズ対応機能搭載携帯端末
３          データ表示サイズ対応機能支援サーバ
５          画像データ取得手段
７          画像データ蓄積手段
９          文字データ入力手段
１１        画像データ登録手段
１３、２９  制御手段
１３ａ      画像データ表示サイズ変更設定手段
１５        表示手段
１７、２７  電子メール蓄積手段
１９、２５  電子メール送受信手段
２１        画像データ受信手段
２３        画像データ蓄積手段
【図１】
2005062289.tif 000003
【図２】
2005062289.tif 000004
【図３】
2005062289.tif 000005
【図４】
2005062289.tif 000006
【図５】
2005062289.tif 000007
【図６】
2005062289.tif 000008
【図７】
2005062289.tif 000009